(57)【要約】【課題】ｅＩＣＩＣ及びＣｏＭＰの優位性を十分に発揮し、異なる端末の実際のチャネル状態に対して、両者の組合せ又は変換を実現することにより、ネットワーク全体の最適化設計を実現する。【解決手段】本発明は無線通信ネットワーク用の基地局及びその制御方法を提供する。基地局は、通信ノード及び端末とデータの送受信を行う送受信部と、端末の無線通信ネットワークでの位置情報を記憶する位置情報記憶部と、各端末が対応する各通信ノードの領域拡張状態情報が記憶された領域拡張状態情報記憶部と、少なくとも前記端末の前記無線通信ネットワークでの位置情報及び各端末が対応する各通信ノードの領域拡張状態情報に基づいて、前記端末に対するサービスポリシーを決定する制御部と、を備える。【選択図】図５
2014524678.tif 000002
【特許請求の範囲】
【請求項１】
通信ノード及び端末とデータの送受信を行う送受信部と、
前記端末の前記無線通信ネットワークでの位置情報を記憶する位置情報記憶部と、
各端末が対応する各通信ノードの領域拡張状態情報が記憶された領域拡張状態情報記憶部と、
少なくとも前記端末の前記無線通信ネットワークでの位置情報及び各端末が対応する各通信ノードの領域拡張状態情報に基づいて、前記端末に対するサービスポリシーを決定する制御部と、を備えることを特徴とする無線通信ネットワーク用の基地局。
【請求項２】
前記サービスポリシーは、Ｍａｃｒｏ−ＲＲＨ  ｅＩＣＩＣサービスポリシー（８０３＋８２１）、ＲＲＨ−ＲＲＨ  ＣｏＭＰ又はＲＲＨ−Ｍａｃｒｏ  ＣｏＭＰサービスポリシー（８１５）、Ｍａｃｒｏ−ＲＲＨ  ＣｏＭＰサービスポリシー（８１９）、Ｍａｃｒｏ−ＲＲＨ  ｅＩＣＩＣ＋ＲＲＨ−ＲＲＨ  ＣｏＭＰサービスポリシー（８０３＋８０９）、通信ノード（Ｍａｃｒｏ又はＲＲＨ）独自のサービスポリシー（８２１）から選ばれた何れか一つであることを特徴とする請求項１に記載の基地局。  
【請求項３】
前記端末が調整されるとき、もしマクロセル対応フレームがＡＢＳフレームであり、前記通信ノードとのＣｏＭＰが可能な隣接するその他の通信ノード（ＲＲＨ）がなく、かつ前記通信ノードのリソースが占有されていなければ、前記制御部は前記端末に対してＭａｃｒｏ−ＲＲＨ  ｅＩＣＩＣサービスポリシーを採用することを特徴とする請求項２に記載の基地局。
【請求項４】
前記端末が調整されるとき、もしマクロセル対応フレームがＡＢＳフレームであり、前記通信ノードとのＣｏＭＰが可能な隣接するその他の通信ノード（ＲＲＨ）があり、かつこれらの通信ノードのリソースが何れも占有されていなければ、前記制御部は前記端末に対してＭａｃｒｏ−ＲＲＨ  ｅＩＣＩＣ＋ＲＲＨ−ＲＲＨ  ＣｏＭＰサービスポリシーを採用することを特徴とする請求項２に記載の基地局。
【請求項５】
前記端末が調整されるとき、もしマクロセル対応フレームが非ＡＢＳフレームであり、前記端末がメインサービスセル中央ユーザであり、かつ前記通信ノードのリソースが占有されていなければ、前記制御部は前記端末に対して前記通信ノード（Ｍａｃｒｏ又はＲＲＨ）独自のサービスポリシーを採用することを特徴とする請求項２に記載の基地局。
【請求項６】
前記端末が調整されるとき、もしマクロセル対応フレームが非ＡＢＳフレームであり、前記端末がメインサービスセルエッジユーザであり、かつ端末の領域拡張状態がオンの場合は、前記端末はどんなリソースも割り当てられないことを特徴とする請求項２に記載の基地局。
【請求項７】
前記端末が調整されるとき、もしマクロセル対応フレームが非ＡＢＳフレームであり、前記端末がメインサービスセルエッジユーザであり、前記端末の領域拡張状態がオフであり、前記通信ノードとのＣｏＭＰが可能な隣接するその他の通信ノード（ＲＲＨ又はＭａｃｒｏ）がなく、かつ前記通信ノードのリソースが占有されていなければ、前記制御部は前記端末に対して前記通信ノード（ＲＲＨ）独自のサービスポリシーを採用することを特徴とする請求項２に記載の基地局。
【請求項８】
前記端末が調整されるとき、もしマクロセル対応フレームが非ＡＢＳフレームであり、前記端末がメインサービスセルエッジユーザであり、前記端末の領域拡張状態がオフであり、前記通信ノードとのＣｏＭＰが可能な隣接するその他の通信ノード（ＲＲＨ又はＭａｃｒｏ）があり、かつこれらの通信ノードのリソースが何れも占有されていなければ、前記制御部は前記端末に対してＲＲＨ−ＲＲＨ  ＣｏＭＰ又はＲＲＨ−Ｍａｃｒｏ  ＣｏＭＰサービスポリシーを採用することを特徴とする請求項２に記載の基地局。
【請求項９】
前記端末が調整されるとき、もしマクロセル対応フレームが非ＡＢＳフレームであり、前記端末がメインサービスセルエッジユーザであり、前記端末の領域拡張状態がなしであり、前記通信ノードとのＣｏＭＰが可能な隣接するその他の通信ノード（ＲＲＨ）がなく、かつ前記通信ノードのリソースが占有されていなければ、前記制御部は前記端末に対して前記通信ノード（Ｍａｃｒｏ）独自のサービスポリシーを採用することを特徴とする請求項２に記載の基地局。
【請求項１０】
前記端末が調整されるとき、もしマクロセル対応フレームがＡＢＳでないフレームであり、前記端末がメインサービスセルエッジユーザであり、端末の領域拡張状態がなしであり、前記通信ノードとのＣｏＭＰが可能な隣接するその他の通信ノード（ＲＲＨ）があり、かつこれらの通信ノードのリソースが何れも占有されていなければ、前記制御部は前記端末に対してＭａｃｒｏ−ＲＲＨ  ＣｏＭＰサービスポリシーを採用することを特徴とする請求項２に記載の基地局。
【請求項１１】
前記端末からフィードバックされたチャネル品質情報を読み取ることにより、該端末と各通信ノードとのチャネル品質差を計算し、該品質差に基づいて前記端末の位置を推定するトラフィック検出部をさらに備えることを特徴とする請求項１に記載の基地局。
【請求項１２】
端末がスケジューリングされる優先度情報を記憶する優先度情報記憶部をさらに備え、
前記基地局は、調整周期毎に優先度に応じて各端末をスケジューリングすることを特徴とする請求項１に記載の基地局。
【請求項１３】
通信ノード及び端末とデータの送受信を行う送受信部と、前記端末の前記無線通信ネットワークでの位置情報を記憶する位置情報記憶部と、各端末が対応する各通信ノードの領域拡張状態情報が記憶された領域拡張状態情報記憶部と、少なくとも前記端末の前記無線通信ネットワークでの位置情報及び各端末が対応する各通信ノードの領域拡張状態情報に基づいて、前記端末に対するサービスポリシーを決定する制御部と、を備える基地局の制御方法であって、
前記端末がスケジューリングされると、
前記制御部は、マクロセル対応フレームがＡＢＳフレームであるか否か、前記通信ノードとのＣｏＭＰが可能な隣接するその他の通信ノード（ＲＲＨ）があるか否か、前記通信ノードのリソースが占有されているか否か、前記端末がメインサービスセル中央ユーザかエッジユーザか、及び前記端末の領域拡張状態に基づいて、前記端末に対するサービスポリシーを決定することを特徴とする基地局の制御方法。
【請求項１４】
前記サービスポリシーは、Ｍａｃｒｏ−ＲＲＨ  ｅＩＣＩＣサービスポリシー（８０３＋８２１）、ＲＲＨ−ＲＲＨ  ＣｏＭＰ又はＲＲＨ−Ｍａｃｒｏ  ＣｏＭＰサービスポリシー（８１５）、Ｍａｃｒｏ−ＲＲＨ  ＣｏＭＰサービスポリシー（８１９）、Ｍａｃｒｏ−ＲＲＨ  ｅＩＣＩＣ＋ＲＲＨ−ＲＲＨ  ＣｏＭＰサービスポリシー（８０３＋８０９）、通信ノード（Ｍａｃｒｏ又はＲＲＨ）独自のサービスポリシー（８２１）から選ばれた何れか一つであることを特徴とする請求項１３に記載の基地局の制御方法。
【請求項１５】
前記端末が調整されるとき、もしマクロセル対応フレームがＡＢＳフレームであり、前記通信ノードとのＣｏＭＰが可能な隣接するその他の通信ノード（ＲＲＨ）がなく、かつ前記通信ノードのリソースが占有されていなければ、前記制御部は前記端末に対してＭａｃｒｏ−ＲＲＨ  ｅＩＣＩＣサービスポリシーを採用することを特徴とする請求項１４に記載の基地局の制御方法。
【請求項１６】
前記端末が調整されるとき、もしマクロセル対応フレームがＡＢＳフレームであり、前記通信ノードとのＣｏＭＰが可能な隣接するその他の通信ノード（ＲＲＨ）があり、かつこれらの通信ノードのリソースが何れも占有されていなければ、前記制御部は前記端末に対してＭａｃｒｏ−ＲＲＨ  ｅＩＣＩＣ＋ＲＲＨ−ＲＲＨ  ＣｏＭＰサービスポリシーを採用することを特徴とする請求項１４に記載の基地局の制御方法。
【請求項１７】
前記端末が調整されるとき、もしマクロセル対応フレームが非ＡＢＳフレームであり、前記端末がメインサービスセル中央ユーザであり、かつ前記通信ノードのリソースが占有されていなければ、前記制御部は前記端末に対して前記通信ノード（Ｍａｃｒｏ又はＲＲＨ）独自のサービスポリシーを採用することを特徴とする請求項１４に記載の基地局の制御方法。
【請求項１８】
前記端末が調整されるとき、もしマクロセル対応フレームが非ＡＢＳフレームであり、前記端末がメインサービスセルエッジユーザであり、かつ端末の領域拡張状態がオンの場合は、前記端末はどんなリソースも割り当てられないことを特徴とする請求項１４に記載の基地局の制御方法。
【請求項１９】
前記端末が調整されるとき、もしマクロセル対応フレームが非ＡＢＳフレームであり、前記端末がメインサービスセルエッジユーザであり、前記端末の領域拡張状態がオフであり、前記通信ノードとのＣｏＭＰが可能な隣接するその他の通信ノード（ＲＲＨ又はＭａｃｒｏ）がなく、かつ前記通信ノードのリソースが占有されていなければ、前記制御部は前記端末に対して前記通信ノード（ＲＲＨ）独自のサービスポリシーを採用することを特徴とする請求項１４に記載の基地局の制御方法。
【請求項２０】
前記端末が調整されるとき、もしマクロセル対応フレームが非ＡＢＳフレームであり、前記端末がメインサービスセルエッジユーザであり、前記端末の領域拡張状態がオフであり、前記通信ノードとのＣｏＭＰが可能な隣接するその他の通信ノード（ＲＲＨ又はＭａｃｒｏ）があり、かつこれらの通信ノードのリソースが何れも占有されていなければ、前記制御部は前記端末に対してＲＲＨ−ＲＲＨ  ＣｏＭＰ又はＲＲＨ−Ｍａｃｒｏ  ＣｏＭＰサービスポリシーを採用することを特徴とする請求項１４に記載の基地局の制御方法。
【請求項２１】
前記端末が調整されるとき、もしマクロセル対応フレームが非ＡＢＳフレームであり、前記端末がメインサービスセルエッジユーザであり、前記端末の領域拡張状態がなしであり、前記通信ノードとのＣｏＭＰが可能な隣接するその他の通信ノード（ＲＲＨ）がなく、かつ前記通信ノードのリソースが占有されていなければ、前記制御部は前記端末に対して前記通信ノード（Ｍａｃｒｏ）独自のサービスポリシーを採用することを特徴とする請求項１４に記載の基地局の制御方法。
【請求項２２】
前記端末が調整されるとき、もしマクロセル対応フレームが非ＡＢＳフレームであり、前記端末がメインサービスセルエッジユーザであり、端末の領域拡張状態がなしであり、前記通信ノードとのＣｏＭＰが可能な隣接するその他の通信ノード（ＲＲＨ）があり、かつこれらの通信ノードのリソースが何れも占有されていなければ、前記制御部は前記端末に対してＭａｃｒｏ−ＲＲＨ  ＣｏＭＰサービスポリシーを採用することを特徴とする請求項１４に記載の基地局の制御方法。
【発明の詳細な説明】
【技術分野】
【０００１】
本発明は、移動通信ネットワークにおいてサービスを提供する装置及び方法に関する。特に、多重基地局協調サービスシステムにおける通信制御サーバ、基地局及び端末に関する。ここでいう移動通信ネットワークは、多重基地局協調サービスをサポートする移動通信システムである。
【背景技術】
【０００２】
移動ユーザの増加及びデータ速度に対する要求の高まりに伴い、従来のセルラネットワークは増加するユーザの需要を満たすことができなくなっている。第３世代パートナーシッププロジェクト（Ｔｈｅ  ３ｒｄ−Ｇｅｎｅｒａｔｉｏｎ  Ｐａｒｔｎｅｒｓｈｉｐ  Ｐｒｏｊｅｃｔ：３ＧＰＰ）は国際標準化組織であり、第２世代及び第３世代移動通信ネットワークのシステムアーキテクチャと規格を開発した。これらの規格は現在既に無線インターフェース（ａｉｒ−ｉｎｔｅｒｆａｃｅ）が配置されているネットワークに適用されている。いま、３ＧＰＰは第４世代移動通信ネットワークに向けたロングタームエボリューション（Ｌｏｎｇ−Ｔｅｒｍ  Ｅｖｏｌｕｔｉｏｎ：ＬＴＥ）及びロングタームエボリューションアドバンスド（ＬＴＥ−Ａｄｖａｎｃｅｄ）の制定に着手し、その目的はシステムのスペクトラム利用率（スループット／バンド幅）を増やし、特にセルエッジのスペクトラム利用率を増やすことである。
【０００３】
従来のセルラネットワークは一般的にセルラホモジニアスネットワーク（ｈｏｍｏｇｅｎｅｏｕｓ  ｎｅｔｗｏｒｋ）の場合を想定している。各基地局のカバー範囲はいずれも１つのセルラと見なすことができ、基地局には同一の送信電力を採用するため、セルラの大きさも同一である。これにより、規則的に分布する「ホモジニアス」のネットワークが構成される。しかしながら、現実のネットワークでは、通信事業者はネットワークのカバー範囲及び通信容量をさらに改善するために、概してマクロ基地局のカバー範囲におけるホットスポット地域でいくつかの従来にないノードを追加する。これらのノードは「ピコ基地局」（ｐｉｃｏ  ｅＮＢ）、「ホーム基地局」（ｈｏｍｅ  ｅＮＢ）、「リレーノード」（ｒｅｌａｙ）等を含む。これらのノードと従来のマクロ基地局との間には有線接続が存在せず、無線伝送通信に依存する。これらのノードの存在により、ネットワークには多重のカバー範囲が存在し、各カバー範囲も規則的ではなく、「ヘテロジニアスネットワーク」（ｈｅｔｅｒｏｇｅｎｅｏｕｓ  ｎｅｔｗｏｒｋ）と呼ばれる。
【０００４】
ヘテロジニアスネットワークでは、マクロ基地局とピコ基地局が共通チャネルで伝送を行う（同一の時間周波数リソースで伝送する）ため、ピコセルエッジにあるユーザは、マクロ基地局からの強い干渉を受けることがある。ＬＴＥ及びそれを進化させたＬＴＥ−Ａでは、幾つかの有効な干渉抑制方法が導入され、これらの方法によって、システムのスペクトラム利用率は大幅に向上されている。
【０００５】
便宜のために、本明細書では英語の略語を使用する。
【０００６】
図１は、干渉除去メカニズムに基づくｅＩＣＩＣの代表的なヘテロジニアスネットワークサービスシーンである。このようなメカニズムは強化型セル間干渉抑制ｅＩＣＩＣ（ｅｎｈａｎｃｅｄ  Ｉｎｔｅｒ−ｃｅｌｌ  ｉｎｔｅｒｆｅｒｅｎｃｅ  ｃｏｏｒｄｉｎａｔｉｏｎ）として知られている。マクロ基地局Ｍａｃｒｏ  ｅＮＢ  １のカバー範囲はマクロセルとして知られている。ピコ基地局Ｐｉｃｏ  ２のカバー範囲はピコセルと呼ばれる。ピコセルのカバー範囲を拡張することにより、セルを分離したことの利益が得られ、さらにセルのスペクトラム利用率の大幅な向上を実現する。セルカバー範囲を拡張する方法は「ＲＥ」（Ｒａｎｇｅ  Ｅｘｐａｎｓｉｏｎ）として知られ、すなわちユーザ（以下、ＵＥ：Ｕｓｅｒ  Ｅｑｕｉｐｍｅｎｔとする）がセルへ接続を行うときにオフセット値を追加し、マクロセルの信号がピコセルの信号よりもそのオフセット値分だけ強い場合にのみ、マクロセルをサービスセルとして選択する。そうでなければ、ピコセルの信号がマクロセルよりも弱い場合でも、ピコセルをサービスセルとして選択する。このようにすればエッジに有るＵＥ３はマクロセルによる強い同一チャネル干渉を受けることになる。一般的な手法は、時間領域でリソースを分割することである。マクロセルは、ＡＢＳ（Ａｌｍｏｓｔ  Ｂｌａｎｋ  Ｓｕｂｆｒａｍｅ）及び通常フレームを含む独特のリソースフォーマットを採用する。ピコセルエッジにあるＵＥはマクロセルからＡＢＳフレームを送信する場合にのみスケジューリングされ、このようにマクロセルによる干渉を避けて性能を向上することができる。
【０００７】
図２は図１のシーンに基づくフレームリソースの割当て例である。この例では、マクロセルは、サブフレーム２とサブフレーム６にＡＢＳフレームを配置する。このとき、マクロセルは、どのようなデータ信号も送信しない非参照信号のリソースエレメント上でサイレント状態を維持する。従って、ピコセルのＵＥにとっては、これら２つのサブフレームの対応位置での信号は干渉が少なくなり、より高い信号対雑音比を得ることができる。ピコセルがサブフレームオフセットを採用してセル間ブロードキャスト情報の衝突を避けた上で、ピコセルは、サブフレームの番号がサブフレーム０及びサブフレーム４で、そのセルエッジのＵＥへデータ伝送を行う。一方、その他のサブフレームの位置上に、マクロセルは、自セル内のＵＥに対して通常のデータ伝送を行う。これによりピコセルのＵＥに対し強く干渉するため、ピコセルは、信号対雑音比が高い自セル中央近傍のＵＥに対してのみスケジュールを行うようにする。
【０００８】
図３は、ＣｏＭＰ干渉除去メカニズムに基づく代表的なヘテロジニアスネットワークサービスシーンである。マクロセル１は、光ファイバを介してリモート無線部（ＲＲＨ、ＲｅｍｏｔｅＲａｄｉｏＨｅａｄ）３に接続されている。（便宜上、以下、リモート無線部は一括してＲＲＨで示す。）ＲＲＨはホットスポット領域にサービスを提供し、ピコセルカバー範囲を提供する。高容量低遅延のインターフェースのサポートによって、煩雑なセル間の協調情報は複数のノード間で高速に交換することにより、ＣｏＭＰの実現が可能となる。ＣｏＭＰ（Ｃｏｏｒｄｉｎａｔｅｄ  Ｍｕｌｔｉｐｏｉｎｔ  Ｔｒａｎｓｍｉｓｓｉｏｎ／Ｒｅｃｅｐｔｉｏｎ）はいわゆるマルチポイント協調伝送である。マルチポイント協調伝送は、端末から各ポイントの位置までの距離に基づいてビームフォーミングを行うことができる。これにより、セル間の干渉を除去でき、さらにセル間の干渉を有用信号に変換することさえできるので、セルエッジのＵＥの性能を非常に高めることができる。
【０００９】
図１０はＲＲＨの内部構成図である。１００１：基地局からの光ファイバを介して伝送されるベースバンド信号である。１００２：コンバータであり、即ち信号に対してスペクトラム搬送を行う。下り：周波数変換によりベースバンド信号が周波数バンド信号に変換し、上り：周波数変換により周波数バンド信号がベースバンド信号になる。１００３：アナログ−デジタル変換器であり、下り：デジタル信号をアナログ信号に変換し、上り：アナログ信号をデジタル信号に変換する。１００４：フィルタであり、信号からいくつかの周波数成分をフィルタリングすることにより、干渉を抑制し防止する。１００５：電力アンプである。信号に対して電力増幅を行うことにより送信電力の要求を満たす。１００６：デュプレクサであり、送信信号と受信信号を分離することにより、両者はいずれも正常に動作することが保証される。１００７：アンテナであり、無線信号を送受信する。
【００１０】
図４は、図３のシーンに基づくフレームリソース割当例である。この例では、マクロセルはサブフレーム４でピコセルと協調して、ピコセルエッジのＵＥにサービスを提供する。このとき、マクロセルはスケジュール情報に基づいて送信信号に対してビームフォーミングを行うことにより、ピコセルの目標ＵＥに対する干渉を除去するか、又はピコセルとともに目標ＵＥへ信号を同時に送信することにより、目標ＵＥが高い信号対雑音比を得る。マクロセルとピコセルとの間の協調は、両者の情報交換と統一した調整を必要とする。その他のフレームに対して、双方は、それぞれ自分のセル内の他のＵＥにサービスを提供する。エッジでＵＥの信号対雑音比が低いため、非協調フレーム内にこれらのＵＥへデータ伝送するように調整することは好ましくない。
【００１１】
従来の技術として、ｅＩＣＩＣ及びＣｏＭＰによってヘテロジニアスネットワークの干渉抑制を行うことにより性能を向上する方法は多く提案されている。
【００１２】
３ＧＰＰの提案Ｒ１−１０５７１０では、どうしてヘテロジニアスネットワークにおいてＲａｎｇｅ  Ｅｘｐａｎｓｉｏｎ技術を採用するか、及びどのようにｅＩＣＩＣ技術を用いてＲａｎｇｅ  Ｅｘｐａｎｓｉｏｎ技術を採用したヘテロジニアスネットワークでの伝送ポイントの互いの干渉の問題を解消するかが記載されている。
【００１３】
３ＧＰＰの提案Ｒ１−１０５７２４では、ｅＩＣＩＣ及びその関連技術の詳細な説明が記載されており、例えばマクロセルＡＢＳフレームの割当パターンの設計及びピコセルエッジにあるＵＥの監視セットの確定に関して記載されている。マクロセルＡＢＳフレーム割当パターンの設計は、ピコセルエッジにあるＵＥのデータ伝送を保護すると同時にマクロセルのシステム情報のブロードキャストをサポートする。これとともに、ピコセルエッジにあるＵＥのフィードバック情報に対する保護要求を満たす必要がある。ｅＩＣＩＣが時間領域での多重化に属するため、監視結果の正確性を保証するために、特定のＵＥに対してチャネル監視タイミングの調整を行う必要がある。
【００１４】
３ＧＰＰの提案Ｒ１−１１１７２２では、３ＧＰＰによって提案されたＣｏＭＰシミュレーションシーンでの具体的な結果が記載されるとともに、ＣｏＭＰの監視セット及び協調セットを決定する方法が記載されている。文献に記載されたシミュレーション結果は、協調処理型（Jｏｉｎｔ  Ｐｒｏｃｅｓｓｉｎｇ）ＣｏＭＰがｅＩＣＩＣよりもよいシステムスループット及びセルエッジのＵＥスループットを提供できることを示している。
【発明の概要】
【発明が解決しようとする課題】
【００１５】
上記提案及び発明において、着目点のほとんどはｅＩＣＩＣとＣｏＭＰのそれぞれによる利点である。しかしながら、実際のシステムにおいて、ｅＩＣＩＣとＣｏＭＰは常に適用可能ではない。例えば、ネットワークのトラフィックが大きい場合に、ＲＥ技術でトラフィックのピコセルへの遷移を実現する必要がある。ピコセルエッジにあるＵＥに対して、相違が非常に大きいマクロセルとピコセルからの信号を受信することができる。従って、このような場合に、マクロセルとピコセルとの間にＣｏＭＰを利用しても、なんら利益がもたらされない。ネットワークのトラフィックが小さい場合に、ＲＥを用いてサービス分担を行う必要がなく、このとき、ｅＩＣＩＣは必要ではなくなる。ネットワークでは常にｅＩＣＩＣをオンにすれば、ピコセルへの干渉を除去するために、マクロセルは特定のフレームでデータを送信しない。長期にわたってピコセルエッジにあるＵＥがない場合は、このような構成は、明らかにマクロセルリソースの浪費である。
【００１６】
上記技術課題を解決するために、ｅＩＣＩＣとＣｏＭＰの優位性を十分に発揮して、異なるＵＥの実際のチャネル状態に対して、両者の組合せ又は変換を実現することにより、ネットワーク全体の最適化設計を実現する必要がある。本発明は、このようなＵＥの特定の干渉除去メカニズムを説明する。
【課題を解決するための手段】
【００１７】
本発明は、通信ノード及び端末とデータの送受信を行う送受信部と、端末の無線通信ネットワークでの位置情報を記憶する位置情報記憶部と、各端末が対応する各通信ノードの領域拡張状態情報が記憶された領域拡張状態情報記憶部と、少なくとも前記端末の前記無線通信ネットワークでの位置情報及び各端末が対応する各通信ノードの領域拡張状態情報に基づいて、前記端末に対するサービスポリシーを決定する制御部と、を備えることを特徴とする基地局を提供する。
【００１８】
その中で、前記サービスポリシーはＭａｃｒｏ−ＲＲＨ  ｅＩＣＩＣサービスポリシー（８０３＋８２１）、ＲＲＨ−ＲＲＨ  ＣｏＭＰ又はＲＲＨ−Ｍａｃｒｏ  ＣｏＭＰサービスポリシー（８１５）、Ｍａｃｒｏ−ＲＲＨ  ＣｏＭＰサービスポリシー（８１９）、Ｍａｃｒｏ−ＲＲＨ  ｅＩＣＩＣ＋ＲＲＨ−ＲＲＨ  ＣｏＭＰサービスポリシー（８０３＋８０９）、Ｍａｃｒｏ又はＲＲＨ独自のサービスポリシー（８２１）である。
【００１９】
好ましくは、前記端末が調整されるとき、もしマクロセル対応フレームがＡＢＳフレームであり、前記通信ノードとのＣｏＭＰが可能な隣接するその他の通信ノード（ＲＲＨ）がなく、かつ前記通信ノードのリソースが占有されていなければ、前記制御部は前記端末に対してＭａｃｒｏ−ＲＲＨ  ｅＩＣＩＣサービスポリシーを採用する。
【００２０】
好ましくは、前記端末が調整されるとき、もしマクロセル対応フレームがＡＢＳフレームであり、前記通信ノードとのＣｏＭＰが可能な隣接するその他の通信ノード（ＲＲＨ）があり、かつこれらの通信ノードのリソースが何れも占有されていなければ、前記制御部は前記端末に対してＭａｃｒｏ−ＲＲＨ  ｅＩＣＩＣ＋ＲＲＨ−ＲＲＨ  ＣｏＭＰサービスポリシーを採用する。
【００２１】
好ましくは、前記端末が調整されるとき、もしマクロセル対応フレームが非ＡＢＳフレームであり、ユーザがメインサービスセル中央ユーザであり、かつ前記通信ノードのリソースが占有されていなければ、前記制御部は前記端末に対して前記通信ノード（Ｍａｃｒｏ又はＲＲＨ）独自のサービスポリシーを採用する。
【００２２】
好ましくは、前記端末が調整されるとき、もしマクロセル対応フレームが非ＡＢＳフレームであり、ユーザがメインサービスセルエッジユーザであり、ユーザのＲＥ状態がオンの場合は、このユーザはどんなリソースも割り当てられない。
【００２３】
好ましくは、前記端末が調整されるとき、もしマクロセル対応フレームが非ＡＢＳフレームであり、ユーザがメインサービスセルエッジユーザであり、ユーザのＲＥ状態がオフであり、前記通信ノードとのＣｏＭＰが可能な隣接するその他の通信ノード（ＲＲＨ又はＭａｃｒｏ）がなく、かつ前記通信ノードのリソースが占有されていなければ、前記制御部は前記端末に対して前記通信ノード（ＲＲＨ）独自のサービスポリシーを採用する。
【００２４】
好ましくは、前記端末が調整されるとき、もしマクロセル対応フレームが非ＡＢＳフレームであり、ユーザがメインサービスセルエッジユーザであり、ユーザのＲＥ状態がオフであり、前記通信ノードとのＣｏＭＰが可能な隣接するその他の通信ノード（ＲＲＨ又はＭａｃｒｏ）があり、かつこれらの通信ノードのリソースが何れも占有されていなければ、前記制御部は前記端末に対してＲＲＨ−ＲＲＨ  ＣｏＭＰ又はＲＲＨ−Ｍａｃｒｏ  ＣｏＭＰサービスポリシーを採用する。
【００２５】
好ましくは、前記端末が調整されるとき、もしマクロセル対応フレームが非ＡＢＳフレームであり、ユーザがメインサービスセルエッジユーザであり、ユーザのＲＥ状態がなしであり、前記通信ノードとのＣｏＭＰが可能な隣接するその他の通信ノード（ＲＲＨ）がなく、かつ前記通信ノードのリソースが占有されていなければ、前記制御部は前記端末に対して前記通信ノード（Ｍａｃｒｏ）独自のサービスポリシーを採用する。
【００２６】
好ましくは、前記端末が調整されるとき、もしマクロセル対応フレームが非ＡＢＳフレームであり、ユーザがメインサービスセルエッジユーザであり、ユーザのＲＥ状態がなしであり、前記通信ノードとのＣｏＭＰが可能な隣接するその他の通信ノード（ＲＲＨ）があり、かつこれらの通信ノードのリソースが何れも占有されていなければ、前記制御部は前記端末に対してＭａｃｒｏ−ＲＲＨ  ＣｏＭＰサービスポリシーを採用する。
【００２７】
好ましくは、前記端末からフィードバックされたチャネル品質情報を読み取ることにより、該端末と各通信ノードとのチャネル品質差を計算し、該品質差に基づいて端末の位置を推定するトラフィック検出部をさらに備える。
【００２８】
好ましくは、端末がスケジューリングされる優先度情報を記憶する優先度情報記憶部をさらに備え、前記基地局は、各調整周期毎に優先度に応じて各前記端末をスケジューリングする。
【発明の効果】
【００２９】
本発明の上記技術的解決手段によれば、ｅＩＣＩＣ及びＣｏＭＰの優位性を十分に発揮し、異なる端末の実際のチャネル状態に対して、両者の組合せ又は変換を実現することにより、ネットワーク全体の最適化設計を実現することができる。
【図面の簡単な説明】
【００３０】
【図１】ｅＩＣＩＣの干渉除去メカニズムに基づく代表的なヘテロジニアスネットワークサービスシーンを示す図である。
【図２】図１のシーンに基づくフレームリソース割当例を示す図である。
【図３】ＣｏＭＰ干渉除去メカニズムに基づく代表的なヘテロジニアスネットワークサービスシーンを示す図である。
【図４】図３のシーンに基づくフレームリソース割当例を示す図である。
【図５】ユーザに特定な干渉除去メカニズムに基づく代表的なヘテロジニアスネットワークサービスシーンを示す図である。
【図６】基地局内部構成の例を示す図である。
【図７】各セルとユーザとの代表的な信号インタラクティブを示す図である。
【図８】ユーザに特定な干渉除去メカニズム判定及びリソース割当アルゴリズムのフローチャートである。
【図９】実施例においてエンドユーザの特定のフレームリソース割当例である。
【図１０】ＲＲＨの内部構成図である。
【発明を実施するための形態】
【００３１】
以下、図５、図６、図７、図８及び図９で具体的に本発明の実施形態を説明する。
【００３２】
図５は、ＵＥの特定の干渉除去メカニズムに基づく代表的なヘテロジニアスネットワークサービスシーンである。１つのマクロセルのカバー地域では、４つのＲＲＨが分布されている。ＲＲＨは信号の送信及び受信の機能だけを持つ。図６−６０１に示すように、全ての制御機能はマクロ基地局の中央制御部で行われる。ネットワーク中で多くのＵＥが分布されている。そのうち、ＵＥ５はマクロ基地局の中央にあるユーザであり、ＵＥ６はＲＲＨの中央にあるユーザであり、これらの中央ユーザにとって、基地局又はＲＲＨから受信した信号は十分によく、干渉が比較的小さく、そのようなユーザは基地局又はＲＲＨから直接にサービスを提供でき、ｅＩＣＩＣ又はＣｏＭＰ技術を採用する必要がない。その中で、ＵＥ１、ＵＥ２、ＵＥ３及びＵＥ４は、それぞれＲＲＨエッジにあるＵＥであり、大きい干渉を受ける。本発明は、このシーンに基づいて、これらのエッジユーザに対する干渉除去メカニズムの説明を行う。
【００３３】
図６は、基地局内部構成の図示例である。
【００３４】
６０１：基地局の中央制御部である。上位レイヤの無線リソース制御のアルゴリズムを担当する。本発明に関する幾つかのモジュール及びパラメータがその中に挙げられている。
【００３５】
６０１１：ユーザＲＥ状態情報記憶部である。ユーザに対応するＲＲＨと、ＲＥ操作を使用したか否かと、が記憶される。ＲＥがオンの場合、高いＲＥオフセット値を設定でき、ＵＥがこの値を利用してセル選択を行える。マクロセルのＵＥに対して、この値がなし（ｎｕｌｌ）である。
【００３６】
【表１】
2014524678.tif 000003
６０１２：ユーザチャネル品質情報記憶部である。ユーザが監視するメインサービスセル及び隣接セルのチャネル品質が記憶される。チャネル品質は、２つのパラメータで表され、１つはＲＳＲＰ（Ｒｅｆｅｒｅｎｃｅ  Ｓｉｇｎａｌ  Ｒｅｃｅｉｖｅｄ  Ｐｏｗｅｒ）であり、リファレンス信号リソースブロック電力の総和の線形平均として定義され、受信した有用な信号の絶対値の代表的なものである。もう１つはＲＳＲＱ（Ｒｅｆｅｒｅｎｃｅ  Ｓｉｇｎａｌ  Ｒｅｃｅｉｖｅｄ  Ｑｕａｌｉｔｙ）であり、伝送バンド幅内の有用な受信電力と総受信電力との比の総和として定義される。信号干渉比の相対値の代表的なものである。
【００３７】
【表２】
2014524678.tif 000004
６０１３：ユーザ位置情報記憶部である。ユーザ毎の概略位置、中央ユーザかエッジユーザか、エッジユーザの場合はどのノードのエッジにあるかが記憶される。
【００３８】
６０１４：ユーザチャネル状態情報記憶部である。ユーザ毎のＣＳＩ（チャネル状態情報）が記憶される。ユーザの監視セットの各セルはいずれもＣＳＩ値に対応している。
【００３９】
６０１５：ユーザ優先度情報記憶部である。ユーザ毎の優先度情報が記憶される。優先度の計算方法は、比例公平アルゴリズムを採用する。あるユーザｋの優先度パラメータの具体的な計算方法は、
【００４０】
【数１】
2014524678.tif 000005
であり、ｒｋはこの調整時刻の瞬間的な伝送レートであり、−Ｒｋはユーザｋが過去の一定期間のタイムウィンドウ内での平均伝送レートである。
【００４１】
６０１６：トラフィックモニタ部である。このモジュールは主にマクロ基地局カバー地域の各セルの無線リソース占有量を読み取ることにより、トラフィックの分布予測を実行する。マクロセルのリソース負荷が閾値より高くなると、負荷分担及びアクセス制御を行うべきであると考えられる。マクロセルのユーザのサービス密度が集中した地域を選択し、負荷が相対的に軽いＲＲＨを選択してＲＥ機能をオンにする。そして、結果を６０１１に保持する。
【００４２】
６０１７：ユーザチャネル品質モニタ部である。ユーザからフィードバックされたチャネル品質情報を読み取って、ユーザチャンネル品質情報記憶部６０１２に保存することにより、このユーザと報告されたＮ個のセル各々とのチャネル品質差を計算する。品質差が大きければ、このユーザがメインサービスセルの中央にあることの証となる。品質差が小さければ、セルのエッジにあることの証となる。さらに、受信した（Ｎ−１）個のチャネル品質差の値に基づいて、このユーザの位置情報を推定する。ここで、Ｎは１以上の正整数である。
【００４３】
６０１８：干渉抑制制御及び無線リソース割当部である。ユーザＲＥ状態情報記憶部６０１１に記憶されているユーザＲＥ状態情報、ユーザ位置情報記憶部６０１３に記憶されているユーザ位置情報、ユーザチャネル状態情報記憶部６０１４に記憶されているユーザチャネル状態情報、ユーザ優先度情報記憶部６０１５に記憶されているユーザ優先度情報に基づいて、図８、図９の方法に従って判定及びリソース割当を行う。あるユーザ割当に対応する結果をベースバンド信号処理部に通知する。制御情報の内容は、ユーザＩＤ、含まれるサービスセルＩＤ及び干渉抑制ポリシー等を含む。
【００４４】
６０２：ユーザデータバッファである。送信されるユーザデータが記憶されている。
【００４５】
６０３：ベースバンド信号処理部である。受信したユーザデータバッファ６０２からのユーザデータと干渉抑制制御及び無線リソース割当部６０１８からのリソース割当制御信号に対して、変調や符号化等の一連のベースバンド処理を行う。
【００４６】
図９におけるリソース割当結果を例とする。６０３は６０１８の情報を取得し、Ｍａｃｒｏ  ｅＮＢ＃２フレームの時刻で、セルエッジユーザのＵＥ１及びＵＥ３を調整する。ＵＥ１について、６０３はＭａｃｒｏ−ＲＲＨ１  ｅＩＣＩＣに基づき、ＲＲＨ１が単独でＵＥ１をサービスする方策で干渉推定を行う。この部分のデータに対してチャネル符号化、変調、単一セルＭＩＭＯプリ符号化等のベースバンド処理を行った上で、６０５によってＲＲＨ１（６０４）の対応のアンテナポートに送信される。ＲＲＨ１は、＃０フレームの時刻で、ＵＥ１にデータ送信を行う。ＵＥ３について、６０３はＭａｃｒｏ−ＲＲＨ１  ｅＩＣＩＣに基づき、ＲＲＨ３−ＲＲＨ４がＵＥ３をＣｏＭＰサービスを行う方策で干渉推定を行う。この部分のデータに対してチャネル符号化、変調、協調（ＲＲＨ３及びＲＲＨ４）プリ符号化等のベースバンド処理を行った上で、６０５によってＲＲＨ３及びＲＲＨ４（６０４）の対応のアンテナポートに送信する。ＲＲＨ３及びＲＲＨ４は、＃０フレームの時刻で、ＵＥ３にデータ送信を行う。異なる送信ノードからのＣｏＭＰの協調伝送を保証するために、各送信ノードは必ず厳密な同期を維持する。  
【００４７】
図７は、各セルとユーザの代表的な信号インタラクティブを示す図である。
【００４８】
７０１：中央制御部６０１におけるトラフィックモニタ部６０１６は、ネットワークにおけるすべてのユーザの伝送タイプ及び状態に基づいてリアルタイムにネットワークの各サービス密度分布を監視する。そして、マクロセルユーザのトラフィックの高低に従って各下位ＲＲＨがＲＥ機能をオンにするか否かを決定する。ネットワークの高トラフィック領域では、これらのＲＲＨのＲＥ機能をオンすることにより負荷のマクロセルからＲＲＨへの遷移を実現する。低トラフィック領域では、ＲＥ機能をオンして特にネットワーク負荷分担を行う必要がない。
【００４９】
７０２：各ＵＥはチャネル品質の監視レポートメッセージをそのメインサービスセルに報告する。測定レポートメッセージには該ＵＥとそのメインサービスセル及び隣接セルとの間のチャネル品質情報が含まれている。
【００５０】
【表３】
2014524678.tif 000006
ＵＥのメインサービスセルがマクロ基地局であれば、チャネル品質情報を直接に記憶する。ＵＥのメインサービスセルがＲＲＨであれば、ＲＲＨからマクロ基地局に転送して記憶する。監視レポートメッセージのフォーマットは、メインサービスセルＩＤ／対応のＲＳＲＰ／ＲＳＲＱ値、複数の隣接セルＩＤ／対応のＲＳＲＰ／ＲＳＲＱ値である。基地局の中央制御部６０１におけるユーザチャネル品質モニタ部６０１７は、各ユーザのチャネル品質情報に基づいてユーザの位置情報を計算し、ユーザ位置情報記憶部６０１３に記憶する。
【００５１】
７０３：基地局は、エッジＵＥ（ＲＥがオンとなっている）及び全てのＵＥの既知情報に基づいて、予め定められたフレームフォーマットからＡＢＳの密度が適切なフレームフォーマットを選択する。エッジＵＥ（ＲＥオン）がなければ、基地局はいかなるＡＢＳフレームフォーマットも採用せず、通常フレームを送信する。フレームフォーマットの選択は、以下の方法を採用して行うことができる。マクロセルのカバー範囲内には、メインサービスセルがＲＲＨ１、ＲＲＨ２、…、ＲＲＨｎであり、ピコセルのエッジＵＥ（ＲＥオン）の数がそれぞれｘ１、ｘ２、…、ｘｎであり、メインサービスセルがマクロセルであるＵＥ数がｘｍであることが知られており、ＡＢＳフレームが１サイクルで占める割合は以下の通りである。
【００５２】
【数２】
2014524678.tif 000007
ここで、αは、ピコセルエッジのＵＥ数の最大値max{x1, x2,....xn}によるシステム性能への全体的影響を平均化することを目的とした因子である。この因子は複数の方法で生成でき、例えば、ピコセルエッジのＵＥ数の平均値と最大値との比、つまり
【００５３】
【数３】
2014524678.tif 000008
に等しくする等によって生成することができる。ＡＢＳフレームの比が決定された後、予め定められたＡＢＳフレームフォーマットから対応の疏密度のフレームフォーマットを選択することができる。
【００５４】
７０４：基地局は、ＲＲＨを介してＵＥに監視情報を配置する。これは１つのパラメータ「限定的監視指示」によってＵＥに通知する。この指示がオフの場合は、ＵＥにＡＢＳ情報を配置することなく、そうでなければ、選択されたＡＢＳフレームフォーマット情報をＵＥに送信する。ＭｅａｓＯｂｊｅｃｔＥＵＴＲＡに関する情報は以下の通りである。
【００５５】
【表４】
2014524678.tif 000009
７０５：エッジのＵＥは、フレームフォーマットに従って限定的監視を行うとともに限定的監視レポートを報告する。監視レポートメッセージのフォーマットは７０２のものと同一である。
【００５６】
７０６：監視レポートに従って、ユーザのＣＳＩ監視セットを計算する。例えば、一つの閾値を予め定義し、ある隣接セルのＲＳＲＰ／ＲＳＲＱ値とメインサービスセルのＲＳＲＰ／ＲＳＲＱ値との差がこの閾値よりも小さい場合は、このセルはこのＣＳＩ監視セットに追加される。或いは、１つの測定セットの大きさＮを予め定義する。信号品質が最も良いＮ個のセルをこのＣＳＩ測定セットに加入する。
【００５７】
７０７：ＣＳＩ監視セット配置情報をＵＥに送信する。従来のＲｅｌ．１０のＭｅａｓＯｂｊｅｃｔＥＵＴＲＡ  ＩＥは拡張される必要がある。１つのＣＳＩ  Ｍｅａｓｕｒｅｍｅｎｔ  Ｓｅｔ  Ｃｏｎｆｉｇフィールドを新規追加し、監視セットにある全てのセルの参照符号配置情報及びフィードバック配置情報が含まれている。具体的な情報は以下の通りである。
【００５８】
【表５】
2014524678.tif 000010
７０８：ＵＥは、測定配置に従ってパイロットを測定するとともにチャネル状態情報を計算する。
【００５９】
７０９：各ＵＥからＣＳＩをそのメインサービスセルにフィードバックする。現在のＲｅｌ.１０におけるＰＵＣＣＨのＣＳＩ情報が拡張される必要がある。ＣＳＩ監視セットにおける各セルのＣＳＩ情報を含むべきである。ＵＥのメインサービスセルがマクロ基地局であれば、直接にチャネル状態情報を６０１４に記憶する。ＵＥのメインサービスセルがＲＲＨであれば、ＲＲＨによってマクロ基地局に伝送して記憶する。
【００６０】
７１０：基地局の中央制御部は、ユーザに特定な干渉抑制方式を判断し始める。
【００６１】
７１１：基地局の中央制御部は、特定のユーザのデータに対して特定の干渉抑制方式に従ってベースバンド処理を行う。
【００６２】
７１２：伝送のためにベースバンド信号を対応の送信ノードに送信する。
【００６３】
図８は、ユーザに特定な干渉除去メカニズム判定及びリソース割当アルゴリズムのフローチャートである。
【００６４】
図９は、実施例においてエンドユーザの特定のフレームリソース割当例である。図７の７０３には、基地局が４０ｍｓのＡＢＳフレームフォーマット９０１又は周期的制限のないＡＢＳではないフォーマット９０２を配置するとともに、ＲＲＨによってＵＥに送信し．同図ではリソース割当の説明のために８ｍｓのフレームリソースを示す。毎１ｍｓは１フレームの長さ９０３であり、図８に記述の１つの調整周期でもある。リソースは、各調整周期で一回割り当て、毎回図８の方法で割り当てを行う。
【００６５】
中央制御部６０１におけるトラフィックモニタ部６０１６は、ネットワークにおけるすべてのユーザの伝送タイプ及び状態に基づき、リアルタイムでネットワークの各サービス密度分布状況をモニタリングする。この例では、ＲＲＨ１及びＲＲＨ２近傍のトラフィックが大きく、両者に割り当てられたＲＥ状態がオンであり、ＲＲＨ３及びＲＲＨ４近傍のトラフィックが小さく、両者に割り当てられたＲＥ状態がオフである。中央制御器は、ＲＥ状態を各ＲＲＨに通知し、それによりその付属のＵＥに送信する。記述を簡単にして焦点を絞るため、マクロセル及びＲＲＨセル中央にあるユーザ（例えば図５におけるＵＥ５及びＵＥ６）の状態及びリソース割当方式を無視する。これらのユーザは割り当てられているＲＥ状態がなしであり、直接にその所在するセルによりサービスが提供される。ここで、本発明に直接に関係するＲＲＨのエッジユーザの干渉抑制策を重点的に記載する。
【００６６】
【表６】
2014524678.tif 000011
ＵＥはチャネル品質監視レポートメッセージをそのメインサービスセルに報告し、基地局の中央制御部６０１におけるユーザチャネル品質情報記憶部６０１２に記憶する。基地局の中央制御部６０１におけるユーザチャネル品質モニタ部６０１７は、各ユーザのチャネル品質情報に基づきユーザの位置情報を計算してユーザ位置情報記憶部６０１３に記憶する。この例では、信号強度対比計算によって４つの代表的なエッジユーザが発見されている。
【００６７】
例えばＵＥ２は、そのメインサービスセルがＲＲＨ２である。隣接セルはＲＲＨ１、ＲＲＨ３、ＲＲＨ４及びマクロセルである。メインサービスセルからの信号は閾値Ｔ１を下回っていることは、セル中央ユーザではなく、ＲＲＨ２のエッジにあることの証である。メインサービスセルと隣接セルＲＲＨ１、ＲＲＨ３、ＲＲＨ４との信号差はそれぞれＤ１、Ｄ２、Ｄ３であり、そのうち、Ｄ１が閾値Ｔ２よりも小さいことは、それがＲＲＨ１のエッジにあり、ＲＲＨ３、ＲＲＨ４から遠く離れることの証である。このユーザがＲＲＨ２にアクセスしたので、それがマクロセルのエッジにあると考えられる。
【００６８】
【表７】
2014524678.tif 000012
基地局エッジユーザＵＥ１及びＵＥ２は、１つのＡＢＳフレームフォーマットを選択する。ＲＲＨは基地局によって選択されたＡＢＳフレームフォーマット情報をそのエッジＵＥに送信し、エッジＵＥはフレームフォーマットに従って限定的な監視を行う。この例では、ＵＥ１、ＵＥ２はＡＢＳフレーム位置でのみスケジュールされるので、ＡＢＳフレーム位置のＲＳＲＱ及びＲＳＲＰ値のみを監視する。ＵＥ３、ＵＥ４は、ＡＢＳフレーム位置と非ＡＢＳフレーム位置のいずれもスケジュールされることが可能である。従って、ＡＢＳフレーム位置のＲＳＲＱ及びＲＳＲＰ値と非ＡＢＳフレーム位置のＲＳＲＱ及びＲＳＲＰ値を別々に監視すべきである。
【００６９】
各ＵＥは限定的な監視レポートを報告する。中央制御部は監視レポートに従ってエッジユーザのＣＳＩ監視セットを計算する。
【００７０】
【表８】
2014524678.tif 000013
監視配置情報をＵＥに送信する。ＵＥは監視配置に従ってパイロットを測定するとともにチャネル状態情報を計算する。各ＵＥはチャネル状態情報をそのメインサービスセルにフィードバックする。ＵＥのメインサービスセルがマクロ基地局であれば、直接にチャネル状態情報を６０１４に記憶する。ＵＥのメインサービスセルがＲＲＨであれば、ＲＲＨによりマクロ基地局に転送して記憶する。
【００７１】
基地局の中央制御部における干渉抑制制御及び無線リソース割当部６０１８は、ユーザに特定な干渉抑制方式の判断を開始する。６０１１、６０１３、６０１４、６０１５の情報を一体に組合せ、ユーザ優先度に従って順序付ける。下表を得る。
【００７２】
【表９】
2014524678.tif 000014
基地局の中央制御部における６０１８は図８のアルゴリズムの実行を開始し、ユーザに対する干渉抑制方式を判定してフレームリソースを割り当てる。ユーザの調整中に、セル中央にある多くのユーザに対して、説明すべき事象が発生するが、ここでは着目の対象ではないため、それらのリソース割当方法が図８の８０６、８１２、８２０、８２１に一部あり、占有されているメインサービスセルのリソースとして割り当てられると述べるにとどめる。それらのリソース割当結果は、図９において色の濃いフレームで示される。
【００７３】
ここでは、４つの代表的なＲＲＨエッジユーザのリソース割当方法について強調する。
【００７４】
８０１において新たな調整周期が開始する。ここで図９にて対応するのはＭａｃｒｏレイヤの＃２フレーム、ＲＲＨレイヤの＃０フレームであると仮定する。（その前の２つのスケジューリング期間では、＃１、＃２の２つのフレームがセル中央ユーザで占有されていると仮定する）。このときユーザの優先度が高い方から低い方へ順にＵＥ１、ＵＥ２、ＵＥ３、ＵＥ４であると仮定する（それにセル中央ＵＥが混じっている）。
【００７５】
８０２において、この調整周期が対応するＭａｃｒｏフレームはＡＢＳフレームであるので、このとき調整されたユーザはいずれも８０３  Ｍａｃｒｏ−ＲＲＨ  ｅＩＣＩＣ方策を採用すべきである。８０４において最も高い優先度のユーザＵＥ１がスケジュールされる。それがマクロセルユーザではなく（８０５）、セル中央ユーザでもなく（８０６）、ＲＲＨ１がその他のＲＲＨとＣｏＭＰを行う可能性がなく（８０７）、メインサービスセルのフレームが占有されていない（８２０）ため、それにメインサービスセルＲＲＨ１のリソース＃０フレームを割り当てる（８２１）。図９における９０４に示すように、リソースの割当結果がＭａｃｒｏ−ＲＲＨ１  ｅＩＣＩＣである。８２３においてこのスケジューリング期間は割り当てられていないリソースＲＲＨ２の＃０フレーム、ＲＲＨ３の＃０フレーム、ＲＲＨ４＃の０フレームを有する。
【００７６】
依然としてこの調整周期において、最も高い優先度のユーザＵＥ２を選択する（８０４）。それがマクロセルユーザではなく（８０５）、セル中央ユーザでもなく（８０６）、ＲＲＨ２がＲＲＨ１とＣｏＭＰを行う可能性があるが（８０７）、ＲＲＨ１の＃０フレームがこのときにＵＥ１で占有されている（８０８）ため、ＵＥ２は、この調整期間で調整されない（８２２）。
【００７７】
依然としてこの調整周期において、最も高い優先度のユーザＵＥ３を選択する（８０４）。それがマクロセルユーザではなく（８０５）、セル中央ユーザでもなく（８０６）、ＲＲＨ３がＲＲＨ４とＣｏＭＰを行うことができ（８０７）、かつＲＲＨ３の＃０フレームとＲＲＨ４の＃０フレームが占有されていない（８０８）ため、ＵＥ３は最終的にＲＲＨ３−ＲＲＨ４のＣｏＭＰ策を採用する（８０９）。マクロセルのＡＢＳフレームが対応するので、デフォルトでマクロセルとＲＲＨとの間はｅＩＣＩＣの方策であるとする。図９における９０５に示すように、統合されたリソース割当結果はＭａｃｒｏ−ＲＲＨ  ｅＩＣＩＣ＋ＲＲＨ３−ＲＲＨ４  ＣｏＭＰである。
【００７８】
この調整周期において割り当て可能なリソースがなくなるまで、他のセル中央ＵＥの調整処理を続ける（８２３）。そして次の調整周期に移行する。
【００７９】
８０１において新たなスケジューリング周期が開始し、Ｍａｃｒｏレイヤの＃３フレーム、ＲＲＨレイヤの＃１フレームに対応する。ユーザ優先度リストが新たな順序にされる。ＵＥ２、ＵＥ４、ＵＥ１、ＵＥ３（それにセル中央ＵＥが混じっている）。この周期内に優先度の高いセル中央ユーザを調整したと仮定する。リソースが完全に占有されるまでである。
【００８０】
８０１において新たな調整周期を開始し、Ｍａｃｒｏレイヤの＃４フレーム、ＲＲＨレイヤの＃２フレームに対応する。このときマクロセルフレームがＡＢＳフレームではない（８０２）。ユーザ優先度リストが新たな順序にされる。配列の順序はＵＥ２、ＵＥ４、ＵＥ１、ＵＥ３であると仮定する（それにセル中央ＵＥが混じっている）。最も高い優先度のユーザＵＥ２を選択する（８１１）。このユーザがメインサービスセルのエッジユーザであり（８１２）、ＲＥ状態がオンであり（８１６）、このユーザはこのフレームでどんなリソースも割り当てられない（８２２）。  
【００８１】
依然としてこの調整周期において、最も高い優先度のユーザＵＥ４を選択する（８１１）。このユーザがメインサービスのセルエッジユーザであり（８１２）、ユーザのＲＥ状態はオフであり（８１６）、ＲＲＨ４がＭａｃｒｏとＣｏＭＰを行うことができ、ＲＲＨ４のフレーム＃２及びＭａｃｒｏのフレーム＃４が占有されておらず、ＲＲＨ４−Ｍａｃｒｏ  ＣｏＭＰを割り当て（８１５）、その結果は図９における９０６に示す。
【００８２】
この調整周期において割り当て可能なリソースがなくなるまで、他のセル中央ＵＥの調整処理を続ける（８２３）。そして次の調整周期に移行する。
【００８３】
８０１において新たな調整周期を開始し、Ｍａｃｒｏレイヤの＃５フレーム、ＲＲＨレイヤの＃３フレームに対応する。ユーザ優先度リストが新たな順序にされる。ＵＥ２、ＵＥ１、ＵＥ３、ＵＥ４である（それにセル中央ＵＥが混じっている）。この周期内に優先度の高いセル中央ユーザを調整したと仮定する。リソースが完全に占有されるまでである。
【００８４】
８０１において新たな調整周期が開始し、Ｍａｃｒｏレイヤの＃６フレーム、ＲＲＨレイヤの＃４フレームに対応する。ユーザ優先度リストが新たな順序にされる。ＵＥ２、ＵＥ１、ＵＥ３、ＵＥ４である（それにセル中央ＵＥが混じっている）。ユーザＵＥ２がスケジューリングされる。８０２において、この調整周期に対応するＭａｃｒｏフレームはＡＢＳフレームであり、このときに調整されたユーザは８０３  Ｍａｃｒｏ−ＲＲＨ  ｅＩＣＩＣの方策を採用すべきである。８０４において最も高い優先度のユーザＵＥ２がスケジューリングされる（８０４）。それはメインサービスセルの中央ユーザではなく（８０６）、ユーザのＣＳＩ監視セットにはＣｏＭＰを行うことができるＲＲＨ１があり、ＲＲＨ２−ＲＲＨ１  ＣｏＭＰ策を割り当てる。８０３で統合された後のリソース割当結果はＭａｃｒｏ−ＲＲＨ  ｅＩＣＩＣ＋ＲＲＨ２−ＲＲＨ１  ＣｏＭＰであって図９における９０７に示す。
【００８５】
最後に、本実施例では、４つの代表的なエッジユーザの最終的な干渉抑制策を下表に示す。リソース割当結果は図９に示す。
【００８６】
【表１０】
2014524678.tif 000015
【符号の説明】
【００８７】
６０１    中央制御部
６０１１  ユーザＲＥ状態情報記憶部
６０１２  ユーザチャネル品質情報記憶部
６０１３  ユーザ位置情報記憶部
６０１４  ユーザチャネル状態情報記憶部
６０１５  ユーザ優先度情報記憶部
６０１６  トラフィックモニタ部
６０１７  ユーザチャネル品質モニタ部
６０１８  干渉抑制制御及び無線リソース割当部
【図１】
2014524678.tif 000016
【図２】
2014524678.tif 000017
【図３】
2014524678.tif 000018
【図４】
2014524678.tif 000019
【図５】
2014524678.tif 000020
【図６】
2014524678.tif 000021
【図７】
2014524678.tif 000022
【図８】
2014524678.tif 000023
【図９】
2014524678.tif 000024
【図１０】
2014524678.tif 000025
【国際調査報告】
2014524678.tif 000026
2014524678.tif 000027
2014524678.tif 000028
2014524678.tif 000029
2014524678.tif 000030
2014524678.tif 000031